(57)【要約】【課題】従来、メーターボックス内にメーターユニットを装嵌固定するベースとしてメーターボックスの下枡が利用されてきたが、水圧等の加重をメーターボックスで受けることになるため、下枡に強度が要求されることになり、メーターボックスの重量が増すことになって材料コストの面でも、作業能率の面でも不利になるといった問題があった。【解決手段】メーターユニットを装嵌固定する水道用メーターの１次側継手部材３と２次側継手部材４を、水道用メーター収納ボックスの下枡内２１ａに嵌着する枠体１の１次側と２次側にそれぞれ設定して水道用メーターを着脱可能に着合するようにしたユニットフレームによってメーターユニットを装嵌固定するようにした。【選択図】図１
2014058846.tif 000002
【特許請求の範囲】
【請求項１】
１次側配管との接合構造と、水道用メーター１次側端部との着合構造を備える止水栓を１次側継手部材、水道用メーター２次側端部との着合構造と２次側配管との接合構造を備える２次側継手部材を、水道用メーター収納ボックスの下枡内に嵌着する枠体の１次側と２次側にそれぞれ設定して水道用メーターを着脱可能に着合するようにしたユニットフレームから成る水道用メーターユニット
【請求項２】
複数対の１次側継手部材と２次側継手部材を、下枡内に嵌着する枠体の１次側と２次側にそれぞれ設定するようにした請求項１記載の水道用メーターユニット
【請求項３】
下枡内に嵌着する枠体に、複数対の１次側継手部材と２次側継手部材を設定すると共に、前記枠体の外側から分岐配管部材を、前記複数対の１次側継手部材に接合するようにした請求項１記載の水道用メーターユニット
【請求項４】
下枡内に嵌着する枠体を、左右両側から中央部において接合する一対の対面コの字型部材の各端部に、継手部材収嵌凹部と、対応部材との重合縁片を形成し、収嵌継手部材のステーと重合縁片の重合によるビス止めによって枠部材の接合固定を行うようにした請求項１乃至請求項３記載の水道用メーターユニット
【請求項５】
左右両側から中央部において接合する対面コの字型部材を、１８０度回動により同一形状となる上下対称形状とし、枠体の左右何れの構成部材としても使用できるようにした請求項１乃至請求項４記載の水道用メーターユニット
【請求項６】
一対の対面コの字型部材の中央接合部に、中央部に継手部材収嵌凹部を形成し、その両側に対応部材との重合縁片を形成した継足し部材を介装して下枡内に嵌着する枠体の継手部材の設定端を延長し、更に、多数対の継手部材を設定するようにした請求項１乃至請求項５記載の水道用メーターユニット
【請求項７】
対面コの字型部材或いは継足し部材の重合縁片の重合を、一方の縁片を対応部材縁片の上面に重合したときは、他方の縁片は対応部材縁片の下面に重合するようにしてビス止め接合するようにした請求項１乃至請求項６記載の水道用メーターユニット
【発明の詳細な説明】
【技術分野】
【０００１】
本発明は、１又は複数の水道用メーターを着脱可能に着合するようにしたユニットフレームから成る水道用メーターユニットに関するものである。
【背景技術】
【０００２】
従来、メーターユニットとしては、例えば、特許文献１記載発明のように止水栓を具備する１次側継手部材と逆止弁を具備する２次側継手部材とをベース上に所定間隔をおいて直列に保持し、両継手部材間に水道用メーターを着脱可能に着合するようにしたものが知られている。
【０００３】
上記特許文献１記載のメーターユニットは、１つのユニットベースに１個の水道用メーターを着合するものであるが、特許文献２記載のように１つのユニットベースに縦列に複数個の水道用メーターを着合するもの、特許文献３記載のように１つのユニットベースに並列に複数個の水道用メーターを着合するものも提案され、水道用メーターのユニット化が進んできている。
【０００４】
これと共に、メーターボックス内にメーターユニットを装嵌固定するベースをどのように構成し、どのように安定させるかも問題となり、特許文献４記載のように分岐配管と支流管と同数のユニット単体とをビスで固定する提案もなされている。
【先行技術文献】
【特許文献】
【０００５】
【特許文献１】特許第３５４２９４７号公報
【０００６】
【特許文献２】特開２００８−１７５８０２号公報
【０００７】
【特許文献３】特許第４９２７７８８号公報
【０００８】
【特許文献４】特許第４９２８００６号公報
【発明の概要】
【発明が解決しようとする課題】
【０００９】
しかしながら、メーターボックス内にメーターユニットを装嵌固定するベースを、直接的にメーターボックスの下枡とした場合、水圧等の加重をメーターボックスで受けることになるため、下枡に強度が要求されることになり、メーターボックスの重量が増すことになって材料コストの面でも、作業能率の面でも不利になるといった問題がある。
【００１０】
また、従来例のように分岐配管部材や支流管をメーターボックス内に固定した場合、メーターボックスを、その分大きくしなければならないので、それだけ多くの材料が掛り、重量も増して作業時にも取り扱いが困難となる問題を残す。
【００１１】
メーターユニットのメーターボックス内への装嵌固定については、特許文献１記載のように枠体を用いることによって安定した固定と作業能率を高めることができるが、一方、環状の枠体は嵩張って取り扱い難い一面があり、生産面でも、組立作業面でも能率の低下に繋がる問題点を残す。
【課題を解決するための手段】
【００１２】
本発明は上記した課題に対応しようとするものであり、１次側配管との接合構造と、水道用メーター１次側端部との着合構造を備える止水栓を１次側継手部材、水道用メーター２次側端部との着合構造と２次側配管との接合構造を備える２次側継手部材を、水道用メーター収納ボックスの下枡内に嵌着する枠体の１次側と２次側にそれぞれ設定して水道用メーターを着脱可能に着合するようにしたユニットフレームによってメーターユニットを構成するようにした。
【００１３】
また、下枡内に嵌着する枠体を、左右両側から中央部において接合する一対の対面コの字型部材の各端部に、継手部材収嵌凹部と、対応部材との重合縁片を形成し、収嵌継手部材のステーと重合縁片の重合によるビス止めによって枠部材の接合固定を行うようにして、本来、環状で嵩張り扱い難い枠体を部材化して組み立て作業に資するようにした。
【００１４】
更に、一対の対面コの字型部材の中央接合部に、中央部に継手部材収嵌凹部を形成し、その両側に接合される対応部材の重合縁片と重合する重合縁片を形成した継足し部材を介装して下枡内に嵌着する枠体の継手部材の設定端を延長し、更に、多数対の継手部材を設定できるようにして、着合する水道用メーターの数に対応して嵌着する枠体の大きさを変更できるようにした。
【００１５】
生産効率の面において、対面コの字型部材を左右対称の別部材として製造することになれば、倍の製造コストが掛ることに注目し、対面コの字型部材を１８０度回動により同一形状となる上下対称形状とし、枠体の左右何れの構成部材としても使用できるようにし、更に、対面コの字型部材或いは継足し部材の重合縁片の重合を、一方の縁片を対応部材縁片の上面に重合したときは、他方の縁片は対応部材縁片の下面に重合するようにしてビス止め接合するようにし接合部材の形状統合を図り、１つの部材を多面的に用いられるようにして製造の効率化を図った。
【発明の効果】
【００１６】
本発明は、上記のように構成したので、保持する水道用メーターにかかる水圧等の加重を、メーターユニットを固定する枠体が受けるため、これを装嵌固定するメーターボックスの下枡に負担を加えず、メーターボックスの軽量化を図ることができるものである。
【００１７】
また、メーターユニットを下枡内に嵌着する枠体に固定し、メーターボックスの下枡を直接の負荷ベースとしないため、部材固定の加工作業等に手間のかかる下枡の形状を簡略化することができ、メーターボックスの生産効率を高めることができた。
【００１８】
更に、１次側に分岐配管部材を直接設定せず１次側配管との接合構造と、水道用メーター１次側端部との着合構造を備える止水栓を１次側継手部材として設定したので、専用の分岐配管構成のみでなく、水道配管での樹脂管や金属管の接続、メーターボックス外での分岐等、自由な配管設計を行うことができると共に、メーターボックスの小型化、軽量化を行うことができた。
【００１９】
また、１次側に配管との接合構造と、水道用メーター１次側端部との着合構造を備える止水栓を、２次側に水道用メーター２次側端部との着合構造と２次側配管との接合構造を備える２次側継手部材を枠体によって固定し、継足し部材によって枠体の拡縮を可能にしたので、３連式以上の多連式のメーターユニットにも対応できる。
【図面の簡単な説明】
【００２０】
【図１】本発明の実施例を示すもので、本発明による下枡内に嵌着する枠体に、２対の１次側継手部材と２次側継手部材を設定した状態におけるメーターボックス下枡の平面図
【図２】同じく、図１の１次側継手部材と２次側継手部材にそれぞれ水道用メーターを着合してメーターボックスの下枡内に嵌着し、１次側のメーターボックス外に分岐配管部材を接合した状態におけるメーターボックス下枡の平面図
【図３】同じく、図２のメーター等着装枠体をメーターボックスの下枡内に嵌着する前の状態の平面図で、枠体を構成する対面コの字型部材の重合縁片の重合状態を示すため右側の対面コの字型部材に同一性を示す斜線表示をし、下側に配置した２次側からの側面図が重合縁片の重合状態を示すようにした説明図
【図４】同じく、対面コの字型部材の重合縁片を重合して枠体を形成する説明図で、上下に配置した側面図が重合縁片の重合状態を示し、１８０度回動により同一形状となる上下対称形状であることを示す
【図５】同じく、１次側継手部材に分岐配管部材を接合し、メーターボックス下枡を、分岐配管部材を収嵌する形状に変形した実施例において、継手部材に水道用メーターを着合した状態におけるメーターボックス下枡の平面図
【図６】同じく、本発明による対面コの字型部材と継足し部材の各重合縁片の重合により形成した枠体に、３対の１次側継手部材と２次側継手部材を設定し、１次側継手部材に分岐配管部材を接合した実施例における平面図で、重合縁片の重合状態を示すため、右側コの字型部材に斜線模様、継足し部材に交差斜線模様を付して各部材の重合縁片の重合状態を示すようにした説明図
【図７】図６の対面コの字型部材と継足し部材の各重合縁片の重合により形成した枠体の平面図で、上側に配置した１次側からの側面図、下側に配置した２次側からの側面図とにより重合縁片の重合状態を示し、右側コの字型部材に斜線模様、継足し部材に交差斜線模様を付して各部材の重合縁片の重合状態を示す
【図８】同じく、下枡内に嵌着する枠体に、４対の１次側継手部材と２次側継手部材を設定し、１次側継手部材に分岐配管部材を接合した実施例における平面図で、上側に配置した１次側からの側面図、下側に配置した２次側からの側面図とにより重合縁片の重合状態を示すようにした説明図
【図９】同じく、下枡内に嵌着する枠体と、枠体に設定される継手部材との接合形成構造を示すもので、図７の下側に配置した２次側からの側面図において重合された枠体形成部材の縁片と継手部材ステーが重合されてビス止めされた状態におけるビスとビス孔部の拡大縦断面図
【図１０】同じく、本発明による枠体に水道用メーター等を着合してメーターボックスに収嵌した状態におけるメーターボックス上枡、下枡、枠体と水道用メーターの状況をメーターボックスを断面として示すメーターユニットの全体正面図
【図１１】同じく、図９のＡ−Ａ断面図である
【発明を実施するための形態】
【００２１】
以下、図面を参照して本発明の実施の形態について詳細に説明すると、１はメーターボックス２の下枡２１の内縁２１ａに嵌着する枠体で、対面コの字型部材１１、１１、或いはこれに継足し部材１２、１２を接合して下枡２１の内縁２１ａに嵌着する環状に形成され、メーターボックスに収嵌される水道用メーターＡに対応して１次側継手部材３と２次側継手部材４が設定される。なお、枠体１について対面コの字型部材や継足し部材を用いず一体の環状枠体としても良いことは勿論である。
【００２２】
１次側継手部材３は、１次側配管との接合構造３１と、水道用メーター１次側端部との着合構造３２を備える止水栓３３から成っており、両側に枠体１にビス止めするためのステー３４,３４が設けられている。２次側継手部材４は水道用メーター２次側端部との着合構造４２と２次側配管との接合構造４１を備え、必要に応じて逆止弁が内蔵され、両側に枠体１にビス止めするためのステー３４,３４が設けられる。
【００２３】
ステー３４によって１次側継手部材３と２次側継手部材４を固設された枠体１は、メーターボックス下枡２１の内縁２１ａに嵌着され、１次側は分岐配管部材５等を介して１次側配管（図示しない。）と接合し、２次側は２次側配管（図示しない。）に接合すると共に、１次側継手部材３と２次側継手部材４の間に水道用メーターＡを着設する。
【００２４】
水道用メーターＡの着設後、メーターボックス２は上枡２２によって覆蓋される。上枡２２の上面は開閉構造２３となっているので、取付け作業が終了した段階で上部から１次側継手部材の止水栓を開栓すれば、１次側から２次側に水道用メーターを介して水道水が通水し流量計測が行われるものである。
【実施例１】
【００２５】
水道用メーターのユニットは原則的に１連式であるが、アパート等低層集合住宅の発達によって多連式のメーターユニットに対する需要も高まってきている。図１、２は２連式のメーターユニットを示すものであるが、継手部材を設定する枠体１は、図４に示すように対面コの字型部材１１、１１の重合縁片を重合して枠体を形成する。
【００２６】
即ち、対面コの字型部材１１は１次側と２次側の屈曲辺１１Ａ、１１Ｂそれぞれの所定部位に継手部材の胴部を収嵌する嵌入凹部１３が形成され、その基部先端側は重合縁片１４を構成し、嵌入凹部１３を挟んで重合縁片１４のビス孔１５が穿設されている。
【００２７】
図３、４について、左辺コの字型部材を１１ａとし、斜線模様を付した右辺コの字型部材を１１ｂとして説明すると、先ず、左辺コの字型部材１１ａの１次側重合縁片１４ａの下に右辺コの字型部材１１ｂの１次側重合縁片１４ｃを重合し、左辺コの字型部材１１ａの２次側重合縁片１４ｂの上に右辺コの字型部材１１ｂの２次側重合縁片１４ｄを重合すると共に、各部材の嵌入凹部１３に継手部材３、４を嵌入することにより各継手部材のステー３４のビス孔１５が重合縁片のビス孔と一致し、この連通したビス孔にてビス止め１６することにより、枠体形成部材と継手部材が一挙に固定されるように構成されている。
【００２８】
枠体形成部材１１と継手部材３、４のビス止めは、上記のように重合された枠体形成部材の縁片と継手部材ステーは、図９に示すように重合時に最下部に位置する縁片のビス孔１５のみが雌ねじを刻設したねじ孔１５ａとなり、上部に重合されるビス孔は何れも、所謂バカ孔と称される通孔１５ｂとすることにより、ビスの挿通を容易にしねじ止め作業を容易に進めることができる。従って、継手部材のステーに穿設されるビス孔は通孔１５ｂとなる。
【００２９】
なお、左辺コの字型部材１１ａは、右辺コの字型部材１１ｂと形成される枠体の中央部において接合するが上下対称形状となっているので、１８０度回動により１１ｂと同一形状となる。従って、コの字型部材は枠体の左右を区別して製造する必要はなく１種類のコの字型部材を製造して一方を１８０度回動すれば左右両側から中央部において組合せ接合して枠体１を形成することができる。
【００３０】
組合せ接合され、前記したビス止め１６により継手部材３，４を取付け、継手部材３に分岐配管部材５を接合した枠体１は図２に示すような形でメーターボックス２の下枡２１に嵌着される。なお、分岐配管部材５は図２のように下枡２１の外側に着合して配管設計に幅を持たせる場合のほか、図５に示すように枠体１の嵌着部の１次側に分岐配管部材５の収容部を下枡２１に設けるようにしても良い。
【実施例２】
【００３１】
実施例２は、３連式で図６に示すように３対の継手部材３，４を枠体１に設定することになるが、枠体１の形成には前記左右両辺のコの字型部材１１のほか継足し部材１２Ａ、１２Ｂを１次側と２次側に加えて枠体１を拡幅する。
【００３２】
継足し部材１２Ａ、１２Ｂは、中央に継手部材３或いは４の嵌入凹部１３が形成され、これを挟んで１２Ａに左右の重合縁片１２ａ、１２ｂ、１２Ｂに重合縁片１２ｃ、１２ｄがそれぞれ構成され、各重合縁片には嵌入凹部１３を挟んで継手部材を固定するステーのビス孔に対応する重合縁片１２のビス孔１５が穿設されている。
【００３３】
ビス孔１５は前記したように穿設された重合縁片が重合時に最下部に位置することになる場合は、ねじ孔１５ａ、上部位置となる場合は通孔１５ｂとなるが、継足し部材１２の場合もコの字型部材１１について、前記したように１８０度回動することにより、左右どちらにも用いることができる同一形状となるので、左右どちらか一方をねじ孔１５ａ、他方を通孔１５ｂとすることにより１種類の継足し部材で継足し部位の変化に対応することができるものである。
【００３４】
図７では、左辺コの字型部材１１ａと斜線模様を付した右辺コの字型部材１１ｂとの間に交差斜線模様を付した継足し部材１２が嵌入され、先ず、コの字型部材１１ａの１次側重合縁片１４ａの下に継足し部材１２Ａの左重合縁片１２ａを重合し、コの字型部材１１ａの２次側重合縁片１４ｂの上に継足し部材１２Ｂの左重合縁片１２ｃを重合する。
【００３５】
更に、継足し部材１２Ａの右重合縁片１２ｂの下にコの字型部材１１ｂの１次側重合縁片１４ｃ、コの字型部材１１ｂの２次側重合縁片１４ｄの下に継足し部材１２Ｂの右重合縁片１２ｄを重合すると共に、各部材の嵌入凹部１３に継手部材３、４を嵌入することにより各継手部材のステー３４のビス孔１５が重合縁片のビス孔と一致し、この連通したビス孔にてビス止め１６することにより、枠体形成部材と継手部材が一挙に固定されるように構成されている。
【実施例３】
【００３６】
実施例３は、４連式で図８に示すように４対の継手部材３，４を枠体１に設定することになるが、枠体１の形成には前記左右両辺のコの字型部材１１のほか継足し部材１２Ａ、１２Ｂに加えて更に継足し部材１２Ｃ、１２Ｄをそれぞれ１次側と２次側に加えて枠体１を拡幅する。
【００３７】
継足し部材１２Ｃ、１２Ｄは、継足し部材１２Ａ、１２Ｂと同一構造であり、中央に継手部材３或いは４の嵌入凹部１３が形成され、これを挟んで１２Ｃに左右の重合縁片１２ｅ、１２ｆ、１２Ｄに重合縁片１２ｇ、１２ｈがそれぞれ構成され、各重合縁片には嵌入凹部１３を挟んで継手部材を固定するステーのビス孔に対応する重合縁片１２のビス孔１５が穿設されている。
【００３８】
図８では、左辺コの字型部材１１ａと右辺部材１１ｂとの間に２対の継足し部材１２が嵌入され、先ず、左辺コの字型部材１１ａの１次側重合縁片１４ａの下に継足し部材１２Ａの左重合縁片１２ａを重合し、その右重合縁片１２ｂの下に継足し部材１２Ｃの左重合縁片１２ｅを重合し、その右重合縁片１２ｆの下に右辺コの字型部材１１ｂの１次側重合縁片１４ｃを重合する。
【００３９】
更に、コの字型部材１１ａの２次側重合縁片１４ｂの上に継足し部材１２Ｂの左重合縁片１２ｃを重合し、その右重合縁片１２ｄの上に継足し部材１２Ｄの左重合縁片１２ｇを重合し、その右重合縁片１２ｈの上に右辺コの字型部材１１ｂの１次側重合縁片１４ｄを重合すると共に、各部材の嵌入凹部１３に１次側継手部材３、３と、２次側継手部材４，４をそれぞれ嵌入することにより各継手部材のステー３４のビス孔１５が重合縁片のビス孔と一致し、この連通したビス孔にてビス止め１６することにより、枠体形成部材と継手部材が一挙に固定されるように構成されている。
【００４０】
このように構成することにより、左右の重合縁片の重合厚を高さ平均を保つと共に、継足し部材の連設により多連式の水道用メーターユニットのためのベース枠体を自由に形成することができ、組立て時にも取り扱い易いコンパクトな部材をビス止めによって嵌入枠に構成することができると共に、枠構成部材と継手部材の固定が連通ビスによって一体に固定される構造的堅牢性を得ることもできるものである。
【産業上の利用可能性】
【００４１】
本発明に係る水道用メーターユニットは、アパート等低層集合住宅の発達に伴い、複数の水道用メーターについて１次側と２次側の接続を簡便に行うことができ、芯ズレの危惧もないので、通常の水道用メーターのメンテナンスや部材の修理交換など様々な形態で水道施設産業上に高度の利用価値を有するものである。
【符号の説明】
【００４２】
１      下枡の内縁に嵌着する枠体
１１    対面コの字型部材
１１ａ  左辺コの字型部材
１１ｂ  右辺コの字型部材
１１Ａ  左辺コの字型部材の１次側屈曲片
１１Ｂ  左辺コの字型部材の２次側屈曲片
１１Ｃ  右辺コの字型部材の１次側屈曲片
１１Ｄ  右辺コの字型部材の２次側屈曲片
１２    継足し部材
１２Ａ  左辺コの字型部材１次側の継足し部材
１２Ｂ  左辺コの字型部材２次側の継足し部材
１２Ｃ  右辺コの字型部材１次側の継足し部材
１２Ｄ  右辺コの字型部材２次側の継足し部材
１２ａ  １次側継足し部材の左側重合縁片
１２ｂ  １次側継足し部材の右側重合縁片
１２ｃ  ２次側継足し部材の左側重合縁片
１２ｄ  ２次側継足し部材の右側重合縁片
１２ｅ  ２連目の１次側継足し部材の左側重合縁片
１２ｆ  ２連目の１次側継足し部材の右側重合縁片
１２ｇ  ２連目の２次側継足し部材の左側重合縁片
１２ｈ  ２連目の２次側継足し部材の右側重合縁片
１３    継手部材の胴部嵌入凹部
１４    枠体形成部材の重合縁片
１４ａ  左辺コの字型部材の１次側重合縁片
１４ｂ  左辺コの字型部材の２次側重合縁片
１４ｃ  右辺コの字型部材の１次側重合縁片
１４ｄ  右辺コの字型部材の２次側重合縁片
１５    ビス孔
１５ａ  ねじ孔
１５ｂ  通孔
１６    ビス止め
２      メーターボックス
２１    メーターボックスの下枡
２１ａ  下枡の内縁
２２    メーターボックスの上枡
２３    上枡上面の開閉構造
３      １次側継手部材
３１    １次側配管との接合構造
３２    水道用メーター１次側端部との着合構造
３３    止水栓
３４    枠体へのビス止め用ステー
４      ２次側継手部材
４１    ２次側配管との接合構造
４２    水道用メーター２次側端部との着合構造
５      分岐配管部材
Ａ      水道用メーター
【図１】
2014058846.tif 000003
【図２】
2014058846.tif 000004
【図３】
2014058846.tif 000005
【図４】
2014058846.tif 000006
【図５】
2014058846.tif 000007
【図６】
2014058846.tif 000008
【図７】
2014058846.tif 000009
【図８】
2014058846.tif 000010
【図９】
2014058846.tif 000011
【図１０】
2014058846.tif 000012
【図１１】
2014058846.tif 000013
【手続補正書】
【提出日】平成24年12月27日(2012.12.27)
【手続補正１】
【補正対象書類名】特許請求の範囲
【補正対象項目名】全文
【補正方法】変更
【補正の内容】
【特許請求の範囲】
【請求項１】
１次側配管との接合構造と、水道用メーター１次側端部との着合構造を備える止水栓を１次側継手部材とし、水道用メーター２次側端部との着合構造と２次側配管との接合構造を備える２次側継手部材とを対として、
左右両側から中央部において接合する一対の対面コの字型部材の各端部に、継手部材収嵌凹部と、対応部材との重合縁片を形成し、収嵌継手部材のステーと重合縁片の重合によるビス止めによって枠部材を接合固定して成る枠体に、
複数対の前記１次側継手部材と２次側継手部材とを並列に設定したユニットフレームをメーターボックスの下枡内に着合するようにしたことを特徴とする
水道用メーターユニット
【請求項２】
下枡内に嵌着する枠体に、複数対の１次側継手部材と２次側継手部材を設定すると共に、前記枠体の外側から分岐配管部材を、前記複数対の１次側継手部材に接合するようにした請求項１記載の水道用メーターユニット
【請求項３】
左右両側から中央部において接合する対面コの字型部材を、１８０度回動により同一形状となる対称形状とし、枠体の左右何れの構成部材としても使用できるようにした請求項１又は請求項２記載の水道用メーターユニット
【請求項４】
一対の対面コの字型部材の中央接合部に、中央部に継手部材収嵌凹部を形成し、その両側に対応部材との重合縁片を形成した継足し部材を介装して下枡内に嵌着する枠体の継手部材の設定端を延長し、更に、多数対の継手部材を設定するようにした請求項１又は請求項２又は請求項３記載の水道用メーターユニット
【請求項５】
対面コの字型部材或いは継足し部材の重合縁片の重合を、一方の縁片を対応部材縁片の上面に重合したときは、他方の縁片は対応部材縁片の下面に重合するようにしてビス止め接合するようにした請求項１又は請求項２又は請求項３又は請求項４記載の水道用メーターユニット
【手続補正２】
【補正対象書類名】明細書
【補正対象項目名】０００１
【補正方法】変更
【補正の内容】
【０００１】
本発明は、複数の水道用メーターを着脱可能に並列に着合するようにしたユニットフレームから成る水道用メーターユニットに関するものである。
【手続補正３】
【補正対象書類名】明細書
【補正対象項目名】００１２
【補正方法】変更
【補正の内容】
【００１２】
本発明は上記した課題に対応しようとするものであり、１次側配管との接合構造と、水道用メーター１次側端部との着合構造を備える止水栓を１次側継手部材とし、水道用メーター２次側端部との着合構造と２次側配管との接合構造を備える２次側継手部材とを対として、枠体の一方を１次側とし他方を２次側として１次側継手部材と２次側継手部材とを複数対それぞれ並列に設定したものをユニットフレームとし、メーターボックスの下枡内に嵌着して水道用メーターを着脱可能に着合するように水道用メーターユニットを構成した。
【手続補正４】
【補正対象書類名】明細書
【補正対象項目名】００１５
【補正方法】変更
【補正の内容】
【００１５】
生産効率の面において、対面コの字型部材を左右対称の別部材として製造することになれば、倍の製造コストが掛ることに注目し、対面コの字型部材を１８０度回動により同一形状となる対称形状とし、枠体の左右何れの構成部材としても使用できるようにし、更に、対面コの字型部材或いは継足し部材の重合縁片の重合を、一方の縁片を対応部材縁片の上面に重合したときは、他方の縁片は対応部材縁片の下面に重合するようにしてビス止め接合するようにし接合部材の形状統合を図り、１つの部材を多面的に用いられるようにして製造の効率化及びコストダウンを図った。
【手続補正５】
【補正対象書類名】明細書
【補正対象項目名】００１６
【補正方法】変更
【補正の内容】
【００１６】
本発明は、上記のように構成したので、保持する水道用メーターにかかる水圧等の加重を、ユニットフレームを固定する枠体が受けるため、これを装嵌固定するメーターボックスの下枡に負担を加えず、メーターボックスの軽量化を図ることができるものである。
【手続補正６】
【補正対象書類名】明細書
【補正対象項目名】００１９
【補正方法】変更
【補正の内容】
【００１９】
また、１次側に１次側配管との接合構造と、水道用メーター１次側端部との着合構造を備える止水栓を、２次側に水道用メーター２次側端部との着合構造と２次側配管との接合構造を備える２次側継手部材を枠体によって固定し、継足し部材によって枠体の拡縮を可能にしたので、３連式以上の多連式のメーターユニットにも対応できる。
【手続補正７】
【補正対象書類名】明細書
【補正対象項目名】００２０
【補正方法】変更
【補正の内容】
【００２０】
【図１】本発明の実施例を示すもので、本発明による下枡内に嵌着する枠体に、２対の１次側継手部材と２次側継手部材を設定したユニットフレームの状態におけるメーターボックス下枡の平面図
【図２】同じく、図１の１次側継手部材と２次側継手部材にそれぞれ水道用メーターを着合してメーターボックスの下枡内に嵌着し、１次側のメーターボックス外に分岐配管部材を接合した状態におけるメーターボックス下枡の平面図
【図３】同じく、図２のメーター等着装枠体をメーターボックスの下枡内に嵌着する前の状態の平面図で、枠体を構成する対面コの字型部材の重合縁片の重合状態を示すため右側の対面コの字型部材に同一性を示す斜線表示をし、下側に配置した２次側からの側面図が重合縁片の重合状態を示すようにした説明図
【図４】同じく、対面コの字型部材の重合縁片を重合して枠体を形成する説明図で、上下に配置した側面図が重合縁片の重合状態を示し、１８０度回動により同一形状となる対称形状であることを示す。
【図５】同じく、１次側継手部材に分岐配管部材を接合し、メーターボックス下枡を、分岐配管部材を収嵌する形状に変形した実施例において、継手部材に水道用メーターを着合した状態におけるメーターボックス下枡の平面図
【図６】同じく、本発明による対面コの字型部材と継足し部材の各重合縁片の重合により形成した枠体に、３対の１次側継手部材と２次側継手部材を設定し、１次側継手部材に分岐配管部材を接合した実施例における平面図で、重合縁片の重合状態を示すため、右側コの字型部材に斜線模様、継足し部材に交差斜線模様を付して各部材の重合縁片の重合状態を示すようにした説明図
【図７】図６の対面コの字型部材と継足し部材の各重合縁片の重合により形成した枠体の平面図で、上側に配置した１次側からの側面図、下側に配置した２次側からの側面図とにより重合縁片の重合状態を示し、右側コの字型部材に斜線模様、継足し部材に交差斜線模様を付して各部材の重合縁片の重合状態を示す
【図８】同じく、下枡内に嵌着する枠体に、４対の１次側継手部材と２次側継手部材を設定し、１次側継手部材に分岐配管部材を接合した実施例における平面図で、上側に配置した１次側からの側面図、下側に配置した２次側からの側面図とにより重合縁片の重合状態を示すようにした説明図
【図９】同じく、下枡内に嵌着する枠体と、枠体に設定される継手部材との接合形成構造を示すもので、図７の下側に配置した２次側からの側面図において重合された枠体形成部材の縁片と継手部材ステーが重合されてビス止めされた状態におけるビスとビス孔部の拡大縦断面図
【図１０】同じく、本発明によるユニットフレームに水道用メーター等を着合してメーターボックスに収嵌した状態におけるメーターボックス上枡、下枡、ユニットフレームと水道用メーターの状況をメーターボックスを断面として示すメーターユニットの全体正面図
【図１１】同じく、図１０のＡ−Ａ断面図である
【手続補正８】
【補正対象書類名】明細書
【補正対象項目名】００２３
【補正方法】変更
【補正の内容】
【００２３】
ステー３４によって１次側継手部材３と２次側継手部材４を固設されたユニットフレームは、メーターボックス下枡２１の内縁２１ａに嵌着され、１次側は分岐配管部材５等を介して１次側配管（図示しない。）と接合し、２次側は２次側配管（図示しない。）に接合すると共に、１次側継手部材３と２次側継手部材４の間に水道用メーターＡを着設する。
【手続補正９】
【補正対象書類名】明細書
【補正対象項目名】００２５
【補正方法】変更
【補正の内容】
【００２５】
水道用メーターユニットは原則的に１連式であるが、アパート等低層集合住宅の発達によって多連式のメーターユニットに対する需要も高まってきている。図１、２は２連式の水道用メーターユニットを示すものであるが、継手部材を設定する枠体１は、図４に示すように対面コの字型部材１１、１１の重合縁片を重合して枠体を形成する。
【手続補正１０】
【補正対象書類名】明細書
【補正対象項目名】００２９
【補正方法】変更
【補正の内容】
【００２９】
なお、左辺コの字型部材１１ａは、右辺コの字型部材１１ｂと形成される枠体の中央部において接合するが対称形状となっているので、１８０度回動により１１ｂと同一形状となる。従って、コの字型部材は枠体の左右を区別して製造する必要はなく１種類のコの字型部材を製造して一方を１８０度回動すれば左右両側から中央部において組合せ接合して枠体１の１次側と２次側は並行に形成することができる。